(57)【要約】      （修正有）【課題】音声を収録すると同時に拡声するだけでなく、イントネーション、ピッチを修正し、音声をミキシングすることができる多機能マイクを提供する。【解決手段】多機能マイクは、ケースを含み、ケース内にメインボード、収音素子及びスピーカが設置され、メインボードにイントネーション調整モジュール５が設置され、イントネーション調整モジュールが自動調整ユニット５１、試験音声調整ユニット５２、録音調整ユニット５３及び歌曲調整ユニット５４を含むため、マイクは、音声を収録するだけでなく、スピーカにより音声を直接的に拡声することができ、音声収録と拡声の機能を同時に備え、操作しやすいだけでなく、携帯しやすく、そして、メインボードにイントネーション調整モジュールが設置されるため、イントネーション調整モジュールにより収音素子によって収録された音声のイントネーション、ピッチを調整することができる。【選択図】図２
0003233150.tif 000002
【実用新案登録請求の範囲】
【請求項１】
ケース（１）を含み、前記ケース（１）内にメインボード（２）、収音素子（３）及びスピーカ（４）が設置され、前記収音素子（３）、スピーカ（４）は、いずれも前記メインボード（２）に電気的に接続され、前記メインボード（２）にイントネーション調整モジュール（５）が設置され、前記イントネーション調整モジュール（５）は、自動調整ユニット（５１）、試験音声調整ユニット（５２）、録音調整ユニット（５３）及び歌曲調整ユニット（５４）を含み、前記試験音声調整ユニット（５２）は、前記自動調整ユニット（５１）に電気的に接続され、収音素子（３）が受信した試験音声のイントネーションとオリジナル歌手の音声のイントネーションとを比較して、イントネーション偏差値を取得し、前記自動調整ユニット（５１）は、試験音声調整ユニット（５２）によって取得されたイントネーション偏差値を呼び出し、かつイントネーション偏差値の範囲内でユーザの歌った音声のイントネーションを調整し、前記録音調整ユニット（５３）は、前記歌曲調整ユニット（５４）に電気的に接続され、ユーザの歌った歌の音声を録音し、かつ録音されたユーザの歌った歌の音声のイントネーション変化曲線とオリジナル歌手の音声のイントネーション変化曲線とを比較して、イントネーション偏差値曲線を取得し、ユーザの歌った歌と録音されたユーザの歌った歌とが同じである場合、前記歌曲調整ユニット（５４）は、録音調整ユニット（５３）によって取得されたイントネーション偏差値曲線を呼び出し、かつイントネーション偏差値曲線に基づいてユーザの歌った歌の音声のイントネーションを調整して、ユーザの歌った歌の音声のイントネーションとオリジナル歌手の音声のイントネーションとを一致させ、前記自動調整ユニット（５１）及び前記歌曲調整ユニット（５４）は、イントネーションが調整された、ユーザの歌った歌の音声を前記スピーカ（４）に伝達し、前記スピーカ（４）は、イントネーションが調整された、ユーザの歌った歌の音声を再生する、多機能マイク。
【請求項２】
前記メインボード（２）は、さらに無線通信モジュール（６）及び音声ミキシング調整モジュール（７）を含み、前記収音素子（３）が音声を受信するとき、前記イントネーション調整モジュール（５）は、音声のイントネーションを調整し、前記無線通信モジュール（６）が携帯端末装置から歌の伴奏を受信するとき、前記音声ミキシング調整モジュール（７）は、前記収音素子（３）が受信した音声と歌の伴奏との間の音声ミキシング効果を調整することを特徴とする、請求項１に記載の多機能マイク。
【請求項３】
前記ケース（１）に収音口（１１）及び放音口（１２）が設置され、前記収音素子（３）が前記収音口（１１）に設置され、前記スピーカ（４）が前記放音口（１２）に設置され、前記収音口（１１）に第１のメッシュカバー（１１１）が設置され、前記放音口（１２）に第２のメッシュカバー（１２１）が設置されることを特徴とする、請求項１に記載の多機能マイク。
【請求項４】
前記ケース（１）内にさらにＬＥＤランプ（８）が設置され、前記ＬＥＤランプ（８）は、前記メインボード（２）に電気的に接続され、かつ前記第２のメッシュカバー（１２１）に沿って設置されることを特徴とする、請求項３に記載の多機能マイク。
【請求項５】
前記ケース（１）内にさらに電源モジュール（１３）が設置され、前記電源モジュール（１３）は、前記メインボード（２）に電気的に接続されることを特徴とする、請求項１に記載の多機能マイク。
【請求項６】
前記ケース（１）にさらにＵＳＢインタフェース（１４）、データカードインタフェース（１５）及び充電口（１６）が設置されることを特徴とする、請求項１に記載の多機能マイク。
【請求項７】
前記収音素子（３）と前記第１のメッシュカバー（１１１）との間に隔離カバー（９）が設置され、前記隔離カバー（９）は、涎が第１のメッシュカバー（１１１）を介して前記収音素子（３）に入ることを防止することを特徴とする、請求項３に記載の多機能マイク。
【請求項８】
前記第１のメッシュカバー（１１１）は、前記ケース（１）と取り外し可能に接続されることを特徴とする、請求項３に記載の多機能マイク。
【請求項９】
前記ケース（１）は、さらに電源ボタン（１７）、音楽音量調整ボタン（１７１）、音声ミキシング効果調整ボタン（１７２）、歌唱音量調整ボタン（１７３）、低音音量調整ボタン（１７４）、一時停止／再生ボタン（１７５）、全体音量調整ボタン（１７６）、歌切り替えボタン（１７７）及びＬＥＤランプ制御ボタン（１７８）を含むことを特徴とする、請求項１に記載の多機能マイク。
【請求項１０】
前記ケース（１）は、さらにグリップ（１８）を有し、前記グリップ（１８）に載置部（１８１）が設置され、前記載置部（１８１）に滑り止めマット（１８２）が設置されることを特徴とする、請求項１に記載の多機能マイク。
【考案の詳細な説明】
【技術分野】
【０００１】
本考案は、マイクの技術分野に関し、特に多機能マイクに関する。
【背景技術】
【０００２】
中国のショートビデオの業界、例えばティックトック、火山ミニビデオ、クアイショウ、騰訊微視が盛んになるに伴い、ますます多くの人はインターネット、家、マーケットにおいていつでもどこでも歌唱などの娯楽活動を行うようになる。
【０００３】
しかしならが、現在市販されているマイクは、音声しか収録できず、マイクを外部のスピーカに接続して、スピーカによりマイクによって収録された音声を拡声する必要があり、手順が煩雑であるだけでなく、携帯しにくく、そしてイントネーション、ピッチを修正できず、音声をミキシングできず、ユーザ体験に大きな影響を与え、既に消費者の需要を満たすことができない。
【０００４】
中国特許ＣＮ２８４９８９５Ｙには、「まず、集音器により外部の楽器音信号をサンプリングし、次に、サンプリングされたオーディオ信号の周波数をカウントし（Ｓ２１）、カウント値に達すると（Ｓ２２）、該周波数を表すカウント値を周期値に変換し（Ｓ２３）、該周期値と記憶ユニットに記憶された参照周波数周期値とを比較すれば（Ｓ２４）、該楽器音のイントネーション又は誤差の大きさを判定することができ、そして結果を表示するように送信する（Ｓ２５）という音声補正原理に基づく音声補正機能を有するＭＰ３プレーヤー」が記載されている。
【０００５】
具体的には、中国特許ＣＮ１０７５４７９７６Ａには、「音響自動調整方法では、スマートデバイスから送信されたモデル情報を受信して、対応する調整関数を検索し、さらに前記調整関数に応じて対応する調整命令を生成し、最後に前記調整命令を前記スマートデバイスに送信し、前記スマートデバイスが前記調整命令に従ってマイクによって収録されたオーディオを調整する。プロセス全体では、ユーザがトリガー操作を行うだけで、残りの操作が自動的に完了し、これにより、どのモデルでも、ユーザが面倒な操作を行う必要がなく、一括で調整する技術的効果を実現することができる」ことが記載されている。
【０００６】
さらに、中国特許ＣＮ２０４６６９５９０Ｕには、「音響効果をリアルタイムに調整可能なマイクは、ピックアップ、Ａ／Ｄコンバータ、加速度センサー、キー制御スイッチ、デジタルシグナルプロセッサＤＳＰ、Ｄ／Ａコンバータ及び音声ミキシング増幅出力モジュールを含み、前記トランスミッタの出力端は、前記Ａ／Ｄコンバータを介して前記デジタルシグナルプロセッサＤＳＰの対応する入力端に接続される」こと、及び「さらに、マイクは、また、無線オーディオ送信モジュールを含み、前記無線オーディオ送信モジュールの入力端は、前記Ｄ／Ａコンバータの出力端に接続され、前記無線オーディオ送信モジュールの出力端は、無線周波数信号を介して無線オーディオ受信デバイスに無線接続される」ことが記載されている。
【０００７】
したがって、ユーザ体験を向上させるために、現在市販されているマイク機能ユニットに関して、音声を収録すると同時に拡声するだけでなく、イントネーション、ピッチを修正し、音声をミキシングすることができる多機能マイクを早急に提供する必要がある。
【考案の概要】
【考案が解決しようとする課題】
【０００８】
従来技術の不足を克服するために、本考案は、音声を収録すると同時に拡声するだけでなく、イントネーション、ピッチを修正し、音声をミキシングすることができる多機能マイクを提供する。
【課題を解決するための手段】
【０００９】
本考案がその技術的問題を解決するために採用する技術的解決手段は、以下のとおりである。
本考案は、多機能マイクを提供し、ケースを含み、前記ケース内にメインボード、収音素子及びスピーカが設置され、前記収音素子、スピーカは、いずれも前記メインボードに電気的に接続され、前記メインボードにイントネーション調整モジュールが設置され、前記イントネーション調整モジュールは、自動調整ユニット、試験音声調整ユニット、録音調整ユニット及び歌曲調整ユニットを含み、前記試験音声調整ユニットは、前記自動調整ユニットに電気的に接続され、収音素子が受信した試験音声のイントネーションとオリジナル歌手の音声のイントネーションとを比較して、イントネーション偏差値を取得し、前記試験音声調整ユニットは、前記自動調整ユニットに電気的に接続され、前記自動調整ユニットは、試験音声調整ユニットによって取得されたイントネーション偏差値を呼び出し、かつイントネーション偏差値の範囲内でユーザの歌った音声のイントネーションを調整し、前記録音調整ユニットは、前記歌曲調整ユニットに電気的に接続され、ユーザの歌った歌の音声を録音し、かつ録音されたユーザの歌った歌の音声のイントネーション変化曲線とオリジナル歌手の音声のイントネーション変化曲線とを比較して、イントネーション偏差値曲線を取得し、ユーザの歌った歌と録音されたユーザの歌った歌とが同じである場合、前記歌曲調整ユニットは、録音調整ユニットによって取得されたイントネーション偏差値曲線を呼び出し、かつイントネーション偏差値曲線に基づいてユーザの歌った歌の音声のイントネーションを調整して、ユーザの歌った歌の音声のイントネーションとオリジナル歌手の音声のイントネーションとを一致させ、前記自動調整ユニット及び前記歌曲調整ユニットは、イントネーションが調整された、ユーザの歌った歌の音声を前記スピーカに伝達し、前記スピーカは、イントネーションが調整された、ユーザの歌った歌の音声を再生する。
【００１０】
本考案の改良として、前記メインボードは、さらに無線通信モジュール及び音声ミキシング調整モジュールを含み、前記収音素子が音声を受信するとき、前記イントネーション調整モジュールは、音声のイントネーションを調整し、前記無線通信モジュールが携帯端末装置から歌の伴奏を受信するとき、前記音声ミキシング調整モジュールは、前記収音素子が受信した音声と歌の伴奏との間の音声ミキシング効果を調整する。
本考案の改良として、前記ケースに収音口及び放音口が設置され、前記収音素子は、前記収音口に設置され、前記スピーカは、前記放音口に設置され、前記収音口に第１のメッシュカバーが設置され、前記放音口に第２のメッシュカバーが設置される。
本考案の改良として、前記ケース内にさらにＬＥＤランプが設置され、前記ＬＥＤランプは、前記メインボードに電気的に接続され、かつ前記第２のメッシュカバーに沿って設置される。
本考案の改良として、前記ケース内にさらに電源モジュールが設置され、前記電源モジュールは、前記メインボードに電気的に接続される。
本考案の改良として、前記ケースにさらにＵＳＢインタフェース、データカードインタフェース及び充電口が設置される。
本考案の改良として、前記収音素子と前記第１のメッシュカバーとの間に隔離カバーが設置され、前記隔離カバーは、涎が第１のメッシュカバーを介して前記収音素子に入ることを防止する。
本考案の改良として、前記第１のメッシュカバーは、前記ケースと取り外し可能に接続される。
本考案の改良として、前記ケースは、さらに電源ボタン、音楽音量調整ボタン、音声ミキシング効果調整ボタン、歌唱音量調整ボタン、低音音量調整ボタン、一時停止／再生ボタン、全体音量調整ボタン、歌切り替えボタン及びＬＥＤランプ制御ボタンを含む。
本考案の改良として、前記ケースは、さらにグリップを有し、前記グリップに載置部が設置され、前記載置部に滑り止めマットが設置される。
【考案の効果】
【００１１】
本考案の有益な効果は、以下のとおりである。上記構造により、マイクがケースを含み、ケース内にメインボード、収音素子及びスピーカが設置され、収音素子、スピーカがいずれもメインボードに電気的に接続され、メインボードにイントネーション調整モジュールが設置され、イントネーション調整モジュールが、自動調整ユニット、試験音声調整ユニット、録音調整ユニット及び歌曲調整ユニットを含み、試験音声調整ユニットが、自動調整ユニットに電気的に接続され、収音素子が受信した試験音声のイントネーションとオリジナル歌手の音声のイントネーションとを比較して、イントネーション偏差値を取得し、自動調整ユニットが、試験音声調整ユニットによって取得されたイントネーション偏差値を呼び出し、かつイントネーション偏差値の範囲内でユーザの歌った音声のイントネーションを調整し、録音調整ユニットが、歌曲調整ユニットに電気的に接続され、ユーザの歌った歌の音声を録音し、かつ録音されたユーザの歌った歌の音声のイントネーション変化曲線とオリジナル歌手の音声のイントネーション変化曲線とを比較して、イントネーション偏差値曲線を取得し、ユーザの歌った歌と録音されたユーザの歌った歌とが同じである場合、歌曲調整ユニットが、録音調整ユニットによって取得されたイントネーション偏差値曲線を呼び出し、かつイントネーション偏差値曲線に基づいてユーザの歌った歌の音声のイントネーションを調整して、ユーザの歌った歌の音声のイントネーションとオリジナル歌手の音声のイントネーションとを一致させ、前記自動調整ユニット及び前記歌曲調整ユニットが、イントネーションが調整された、ユーザの歌った歌の音声を前記スピーカに伝達し、前記スピーカが、イントネーションが調整された、ユーザの歌った歌の音声を再生するため、マイクは、音声を収録するだけでなく、スピーカにより音声を直接的に拡声することができ、音声収録と拡声の機能を同時に備え、操作しやすいだけでなく、携帯しやすく、そして、メインボードにイントネーション調整モジュールが設置され、収音素子の受信した音声がメインボードのイントネーション調整ユニットによって調整された後にスピーカに送信されて拡声されるため、イントネーション調整モジュールにより収音素子によって収録された音声のイントネーション、ピッチを調整することができ、スピーカから出力された音声がより明らかで、美しく、さらにオリジナル歌手の音声に近くなり、ユーザの歌唱がより完璧になる。
【図面の簡単な説明】
【００１２】
【図１】本考案の全体構造の概略図である。
【図２】イントネーション調整モジュールの全体構造の概略図である。
【図３】本考案の分解図である。
【図４】スピーカに沿って切断した断面図である。
【図５】試験音声調整ユニット及び自動調整ユニットの動作フローチャートである。
【図６】録音調整ユニット及び歌曲調整ユニットの動作フローチャートである。
【図７】試験音声のイントネーションとオリジナル歌手の音声のイントネーションとの比較概略図である。
【図８】ユーザ歌唱の録音のイントネーション曲線とオリジナル歌手の音声のイントネーション曲線との比較概略図である。
【考案を実施するための形態】
【００１３】
以下、図面及び実施例を参照しながら、本考案をさらに説明する。
図１〜図８を参照して、多機能マイクは、ケース１を含み、ケース１内にメインボード２、収音素子３及びスピーカ４が設置され、収音素子３、スピーカ４は、いずれもメインボード２に電気的に接続され、メインボード２にイントネーション調整モジュール５が設置され、イントネーション調整モジュール５は、自動調整ユニット５１、試験音声調整ユニット５２、録音調整ユニット５３及び歌曲調整ユニット５４を含み、試験音声調整ユニット５２は、自動調整ユニット５１に電気的に接続され、収音素子３が受信した試験音声のイントネーションとオリジナル歌手の音声のイントネーションとを比較して、イントネーション偏差値を取得し、自動調整ユニット５１は、試験音声調整ユニット５２によって取得されたイントネーション偏差値を呼び出し、かつイントネーション偏差値の範囲内でユーザの歌った音声のイントネーションを調整し、録音調整ユニット５３は、歌曲調整ユニット５４に電気的に接続され、ユーザの歌った歌の音声を録音し、かつ録音されたユーザの歌った歌の音声のイントネーション変化曲線とオリジナル歌手の音声のイントネーション変化曲線とを比較して、イントネーション偏差値曲線を取得し、ユーザの歌った歌と録音されたユーザの歌った歌とが同じである場合、歌曲調整ユニット５４は、録音調整ユニット５３によって取得されたイントネーション偏差値曲線を呼び出し、かつイントネーション偏差値曲線に基づいてユーザの歌った歌の音声のイントネーションを調整して、ユーザの歌った歌の音声のイントネーションとオリジナル歌手の音声のイントネーションとを一致させ、前記自動調整ユニット５１及び前記歌曲調整ユニット５４は、イントネーションが調整された、ユーザの歌った歌の音声を前記スピーカ４に伝達し、前記スピーカ４は、イントネーションが調整された、ユーザの歌った歌の音声を再生する。
【００１４】
上記構造により、マイクがケース１を含み、ケース１内にメインボード２、収音素子３及びスピーカ４が設置され、収音素子３、スピーカ４がいずれもメインボード２に電気的に接続され、メインボード２にイントネーション調整モジュール５が設置され、イントネーション調整モジュール５が、自動調整ユニット５１、試験音声調整ユニット５２、録音調整ユニット５３及び歌曲調整ユニット５４を含み、試験音声調整ユニット５２が、自動調整ユニット５１に電気的に接続され、収音素子３が受信した試験音声のイントネーションとオリジナル歌手の音声のイントネーションとを比較して、イントネーション偏差値を取得し、自動調整ユニット５１が、試験音声調整ユニット５２によって取得されたイントネーション偏差値を呼び出し、かつイントネーション偏差値の範囲内でユーザの歌った音声のイントネーションを調整し、録音調整ユニット５３が、歌曲調整ユニットに電気的に接続され、ユーザの歌った歌の音声を録音し、かつ録音されたユーザの歌った歌の音声のイントネーション変化曲線とオリジナル歌手の音声のイントネーション変化曲線とを比較して、イントネーション偏差値曲線を取得し、ユーザの歌った歌と録音されたユーザの歌った歌とが同じである場合、歌曲調整ユニット５４が、録音調整ユニット５３によって取得されたイントネーション偏差値曲線を呼び出し、かつイントネーション偏差値曲線に基づいてユーザの歌った歌の音声のイントネーションを調整して、ユーザの歌った歌の音声のイントネーションとオリジナル歌手の音声のイントネーションとを一致させ、前記自動調整ユニット５１及び前記歌曲調整ユニット５４が、イントネーションが調整された、ユーザの歌った歌の音声を前記スピーカ４に伝達し、前記スピーカ４が、イントネーションが調整された、ユーザの歌った歌の音声を再生するため、マイクは、音声を収録するだけでなく、スピーカ４により音声を直接的に拡声することができ、音声収録と拡声の機能を同時に備え、操作しやすいだけでなく、携帯しやすく、そして、メインボード２にイントネーション調整モジュール５が設置され、収音素子３の受信した音声がメインボード２のイントネーション調整モジュール５によって調整された後にスピーカ４に送信されて拡声されるため、イントネーション調整モジュール５により収音素子３によって収録された音声のイントネーション、ピッチを調整することができ、スピーカ４から出力された音声がより明らかで、美しく、さらにオリジナル歌手の音声に近くなり、ユーザの歌唱がより完璧になる。
【００１５】
さらに、収音素子３が受信された音声信号をイントネーション調整モジュール５に送信した後、イントネーション調整モジュール５が、ユーザの実際の使用シーンに応じて音声信号を、対応する自動調整ユニット５１、試験音声調整ユニット５２、録音調整ユニット５３及び歌曲調整ユニット５４に割り当てて処理することができるため、様々なシーンにおける調整を実現することができる。
【００１６】
マイクは、無線通信モジュール又はＵＳＢインタフェースにより携帯電話／コンピュータなどの携帯端末装置に接続でき、収音素子３が試験音声を受信するとき、試験音声調整ユニット５２は、携帯端末装置上の調整ソフトウェア「Ａｕｔｏ  Ｔｕｎｅ」により試験音声のイントネーションとオリジナル歌手の音声のイントネーションとを比較して、イントネーション偏差値を取得し、イントネーション偏差値を記録して保存することができ、イントネーション偏差値は、試験音声のイントネーション値からオリジナル歌手の音声のイントネーション値を減算して得られるものである。
【００１７】
具体的には、自動調整ユニット５１が、試験音声調整ユニット５２によって取得されたイントネーション偏差値を呼び出し、かつイントネーション偏差値の範囲内でユーザの歌った音声のイントネーションを調整し、収音素子３が歌唱者の音声を受信した後、自動調整ユニット５１がイントネーション偏差値の範囲内で音声を調整し、かつ調整された音声をスピーカ４により拡声することにより、歌唱者の音声のイントネーションをオリジナル歌手の音声のイントネーションにより近くすることができるため、ユーザの歌唱がより明らかで、美しくなる。しかしながら、イントネーション偏差値が一部の試験音声により得られるものであるため、試験音声から得られたイントネーション偏差値に基づいて全ての歌のイントネーションを自動的に調整する効果は普通である。
【００１８】
例えば、図８を参照して、Ｄは試験音声のイントネーション値であり、Ｅはオリジナル歌手の音声のイントネーション値であり、Ｆはイントネーション偏差値であり、Ｄのイントネーション値が６０であり、Ｅのイントネーション値が５８である場合、イントネーション偏差値Ｅ＝Ｄ−Ｅ＝２であることが得られ、ユーザが歌を歌ったとき、自動調整ユニット５１は、取得されたイントネーション偏差値Ｅ＝２を呼び出し、ユーザが歌を歌ったとき、ユーザの歌った歌全体の音声のイントネーションをいずれもイントネーション値を２つ低下させる。
【００１９】
さらに、録音調整ユニット５３がユーザの歌った歌の音声を録音し、マイクが無線通信モジュール又はＵＳＢインタフェースを介して携帯電話／コンピュータなどの携帯端末装置に接続され、録音調整ユニットが携帯端末装置上の調整ソフトウェア「Ａｕｔｏ  Ｔｕｎｅ」により、録音されたユーザの歌った歌の音声のイントネーション変化曲線とオリジナル歌手の音声のイントネーション変化曲線とを比較して、イントネーション偏差値曲線を取得し、かつ保存して記憶することができ、そして、録音調整ユニット５３が携帯端末装置上の調整ソフトウェア「Ａｕｔｏ  Ｔｕｎｅ」により録音のイントネーション曲線を手動で調整できることにより、録音のイントネーション曲線をオリジナル歌手の音声のイントネーション曲線に近くし、イントネーションが調整された録音もスピーカ４により拡声できることにより、録音をオリジナル歌手の音声により近くし、イントネーション偏差値曲線は、ユーザの歌った歌の音声のイントネーション変化曲線の各イントネーション値からオリジナル歌手の音声のイントネーション変化曲線の各イントネーション値を減算して得られるものであり、そして、録音調整ユニット５３が動作するとき、自動調整ユニット５１がオフとなる。
【００２０】
さらに、ユーザの歌った歌と録音されたユーザの歌った歌とが同じである場合、歌曲調整ユニット５４は、録音調整ユニット５３によって取得されたイントネーション偏差値曲線を呼び出し、かつイントネーション偏差値曲線に基づいてユーザの歌った歌の音声のイントネーションを調整して、ユーザの歌った歌の音声のイントネーションとオリジナル歌手の音声のイントネーションとを一致させることができ、前記自動調整ユニット５１及び前記歌曲調整ユニット５４は、イントネーションが調整されたユーザの音声を前記スピーカ４に伝達し、前記スピーカ４は、イントネーションが調整されたユーザの音声を再生し、そして、歌曲調整ユニット５４が動作するとき、自動調整ユニット５１がオフとなる。
【００２１】
例えば、図７を参照して、Ａは、ユーザが歌を歌う進捗に伴って変化するイントネーション曲線であり、Ｂは、オリジナル歌手の歌唱進捗に伴って変化するイントネーション曲線であり、Ｃは、歌の歌唱進捗に伴うイントネーション偏差値曲線であり、ユーザが歌の再生進捗の３０Ｓまで歌うとき、ユーザの音声のイントネーション値ａ１が６０であり、オリジナル歌手の音声のイントネーション値ｂ１が５８である場合、イントネーション偏差曲線の３０Ｓでのイントネーション偏差値はｃ１＝ａ１−ｂ１＝６０−５８＝２であり、ユーザが歌の再生進捗の６０Ｓまで歌うとき、ユーザの音声のイントネーション値ａ２が６２であり、オリジナル歌手の音声のイントネーション値ｂ２が５８である場合、イントネーション偏差曲線の６０Ｓでのイントネーション偏差値はｃ２＝ａ２−ｂ２＝６２−５８＝４であるため、ユーザが現場で歌の再生進捗の３０Ｓまで歌うとき、歌曲調整ユニット５４は、イントネーション偏差値曲線の３０Ｓでのイントネーション偏差値ｃ１＝２を呼び出し、ユーザの音声のイントネーション値を２つ低下させ、ユーザが現場で歌の再生進捗の６０Ｓまで歌うとき、歌曲調整ユニットは、イントネーション偏差値曲線の６０Ｓでのイントネーション偏差値ｃ２＝４を呼び出し、ユーザの音声のイントネーション値を４つ低下させる。
【００２２】
さらに、イントネーション偏差値曲線が歌の歌唱進捗に伴って変化するため、歌の歌唱進捗に伴って変化するイントネーション偏差値曲線により、ユーザの歌った音声のイントネーションをそれぞれ調整できることにより、ユーザが現場で歌った音声のイントネーションをリアルタイムに調整し、効果を最適にすることができる。
【００２３】
本実施例では、メインボード２は、さらに無線通信モジュール６及び音声ミキシング調整モジュール７を含み、収音素子３が音声を受信するとき、イントネーション調整モジュール５は、音声のイントネーションを調整し、無線通信モジュール６が携帯端末装置から歌の伴奏を受信するとき、音声ミキシング調整モジュール７は、収音素子３が受信した音声と歌の伴奏との間の音声ミキシング効果を調整する。上記構造により、メインボード２に無線通信モジュール６及び音声ミキシング調整モジュール７がさらに設置されるため、ユーザは、音声ミキシング調整モジュール７により音声ミキシング調整を行うことができ、スピーカ４から出力された音声は、より明らかで、美しく、さらにオリジナル歌手の音声に近くなり、ユーザの歌唱がより完璧になる。さらに、メインボード２にさらに無線通信モジュール６が設置されるため、マイクは、無線通信モジュール６により携帯電話などの携帯端末装置に接続され、携帯端末装置における歌をマイクに無線伝送することにより、マイク内のスピーカ４が携帯端末装置から受信された歌又は歌の伴奏を拡声することができ、ユーザ体験をさらに向上させる。
【００２４】
メインボード２は、マイクのスイッチ、音量及びどのような調整モードを採用するかを制御することができ、無線通信モジュール６は、携帯端末装置から歌の伴奏を無線受信することができ、音声ミキシング調整モジュール７は、歌の伴奏と調整されたユーザの歌った音声とをミキシングし、かつスピーカ４により拡声することができる。
【００２５】
本実施例では、ケース１に収音口１１及び放音口１２が設置され、収音素子３は、収音口１１に設置され、スピーカ４は、放音口１２に設置され、収音口１１に第１のメッシュカバー１１１が設置され、放音口１２に第２のメッシュカバー１２１が設置される。上記構造により、ユーザが歌唱中に出した音声は、収音口１１を介して収音素子３に入ることができ、スピーカ４は、ユーザの歌った音声を大きくし、かつ放音口１２を介して拡声することができ、音声の収録と拡声を実現することにより、マイクは同時に収音と拡声の機能を有する。
【００２６】
ケース１内にさらにＬＥＤランプ８が設置され、ＬＥＤランプ８はメインボード２に電気的に接続され、かつ第２のメッシュカバー１２１に沿って設置される。上記構造により、ＬＥＤランプ８が第２のメッシュカバー１２１に沿って設置されるため、ユーザの音声がスピーカ４により拡声されるとき、ＬＥＤランプ８はユーザの歌唱に伴って点滅することができ、ＬＥＤランプ８が発した点滅光は第２のメッシュカバー１２１を透過してマイクの外部に発散し、独特な照明雰囲気を作り出し、明かり及び歌声の結合により、人がその中に浸り、ユーザ体験を大幅に向上させ、そして、ＬＥＤランプ８の数は２０〜３２個であり、第２のメッシュカバー１２１に沿って４列に分布し、ＬＥＤランプ８は、緑色光ＬＥＤランプ、赤色光ＬＥＤランプ及び赤色光ＬＥＤランプを含み、メインボード２はＬＥＤを点滅させるように制御し、マーキーライトの照明雰囲気を形成し、ユーザが音楽と独特の照明雰囲気に浸って歌う。
【００２７】
具体的には、ケース１内にさらに電源モジュール１３が設置され、電源モジュール１３は、メインボード２に電気的に接続される。電源モジュール１３は、リチウム電池であってもよく、他のタイプの電池であってもよく、上記構造により、電源モジュール１３は、マイクに電力を供給することができ、かつリチウム電池は、充電することもでき、電池を繰り返し交換する必要がなく、マイクの使用中の利便性を大幅に向上させ、マイクの耐用年数も延長する。
【００２８】
本実施例では、ケース１にさらにＵＳＢインタフェース１４、データカードインタフェース１５及び充電口１６が設置される。上記構造により、ユーザは、無線通信モジュール６を介して携帯端末装置に接続して、携帯端末装置中の歌又は歌の伴奏などのオーディオ情報を読み取るだけでなく、ＵＳＢインタフェース１４により携帯端末装置又はＵＳＢフラッシュメモリに接続して、携帯端末装置又はＵＳＢフラッシュメモリ中の歌又は歌の伴奏などのオーディオ情報を読み取ることができ、さらに、ユーザは、メモリーカードをデータカードインタフェース１５に直接的に挿入してメモリーカード中の歌又は歌の伴奏などのオーディオ情報を直接的に読み取ることもできる。さらに、マイクは、複数のシーンで使用され、ユーザの実際の需要を満たすことができる。
【００２９】
本実施例では、収音素子３と第１のメッシュカバー１１１との間に隔離カバー９が設置され、隔離カバー９は、涎が第１のメッシュカバー１１１を介して収音素子３に入ることを防止する。
【００３０】
第１のメッシュカバー１１１は、ケース１と取り外し可能に接続される。上記構造により、収音素子３と第１のメッシュカバー１１１との間に設置された隔離カバー９は、ユーザが歌唱時に発生した飛沫が収音素子３内に入ることを効果的に防止し、飛沫が収音素子３を損傷することを効果的に回避することができ、収音素子３の清潔を保持し、収音素子３へのメンテナンス、洗浄回数を減少させることができる。そして、第１のメッシュカバー１１１がケース１と取り外し可能に接続されるため、ユーザは、第１のメッシュカバー１１１を開けて、収音素子３を洗浄しメンテナンスしやく、またユーザは、第１のメッシュカバー１１１及び隔離カバー９を洗浄し、メンテナンスし、交換しやすい。
【００３１】
本実施例では、ケース１は、さらに電源ボタン１７、音楽音量調整ボタン１７１、音声ミキシング効果調整ボタン１７２、歌唱音量調整ボタン１７３、低音音量調整ボタン１７４、一時停止／再生ボタン１７５、全体音量調整ボタン１７６、歌切り替えボタン１７７及びＬＥＤランプ制御ボタン１７８を含む。上記構造により、ユーザは、電源ボタン１７によりマイクをオン又はオフにし、音楽音量調整ボタン１７１により携帯端末装置から受信した歌又は歌の伴奏のオーディオファイルの音量を調整し、音声ミキシング効果調整ボタン１７２によりユーザの歌った音声のミキシング効果を調整し、歌唱音量調整ボタン１７３によりユーザの歌った音声の音量を調整し、低音音量調整ボタン１７４によりオーディオの低音の音量を調整し、一時停止／再生ボタン１７５により歌又は歌の伴奏などのオーディオファイルを一時停止又は再生し、全体音量調整ボタン１７６によりユーザの歌った音声及び歌又は歌の伴奏などのオーディオファイルの音量を一括で調整し、歌切り替えボタン１７７により歌又は歌の伴奏などのオーディオファイルを切り替えやすく、ＬＥＤランプ制御ボタン１７８によりＬＥＤランプ８をオン／オフにし、ＬＥＤランプ８の点滅パターンなどを制御することができる。
【００３２】
本実施例では、ケース１は、さらにグリップ１８を有し、グリップ１８に載置部１８１が設置され、載置部１８１に滑り止めマット１８２が設置される。上記構造により、ユーザは、手でグリップ１８を握って歌を歌うことができ、載置部１８１によりマイクを机の上に置いて使用することもでき、そして載置部１８１に設置された滑り止めマット１８２は、さらにマイクと机との間の摩擦力を増加させ、マイクが机の上から滑り落ちることを防止することができる。具体的には、滑り止めマット１８２は、弾性のプラスチックマットである。
【００３３】
グリップ１８は、ケース１と取り外し可能に接続され、電源モジュール１３は、グリップ１８内に設置される。上記構造により、ユーザがグリップ１８を洗浄し交換しやすく、ユーザが電池を交換し、洗浄し、メンテナンスしやすく、ユーザの使用感をさらに向上させることができる。
【００３４】
以上は、具体的な内容を組み合わせて提供される１つ以上の実施形態であり、本考案の具体的な実施形態は、これらの説明に限定されるものであると認められない。本考案の方法、構成などと近似し、同等であるか、又は本考案の構想で行われたいくつかの技術推定又は置換は、いずれも本考案の保護範囲に属するものと見なされるべきである。
【符号の説明】
【００３５】
１  ケース
２  メインボード
３  収音素子
４  スピーカ
５  イントネーション調整モジュール
５１  自動調整ユニット
５２  試験音声調整ユニット
５３  録音調整ユニット
５４  歌曲調整ユニット
【図１】
0003233150.tif 000003
【図２】
0003233150.tif 000004
【図３】
0003233150.tif 000005
【図４】
0003233150.tif 000006
【図５】
0003233150.tif 000007
【図６】
0003233150.tif 000008
【図７】
0003233150.tif 000009
【図８】
0003233150.tif 000010